(57)【特許請求の範囲】
【請求項１】
移動金型を保持する移動ダイプレートを、固定金型を保持する固定ダイプレートに対して、型開閉バルブおよび型開閉シリンダを介し移動して型閉じした後、型締バルブおよび型締シリンダを介して型締めを行う射出成形機の型締制御方法において、
移動ダイプレートはその移動経路上に型閉限を確認するリミットスイッチを設け、型開閉バルブはその型閉油圧ライン上に型閉圧の上昇を確認する圧力スイッチを設け、さらに型締バルブはその型締油圧ライン上に型締圧の上昇を確認する圧力スイッチを設けて、型開閉バルブを作動して型閉じを開始し、移動ダイプレートのリミットスイッチを介して型閉限を確認し、型閉油圧ラインの圧力スイッチを介して型閉圧上昇を確認し、かつこの上昇した型閉圧がそのまま保持されるように型開閉バルブを作動し、その後型締バルブを作動してその圧力スイッチを介して型締圧上昇を確認するように操作することを特徴とする射出成形機の型締制御方法。
【請求項２】
移動および／または固定金型は、反発スプリングを設けてなる請求項１記載の射出成形機の型締制御方法。
【発明の詳細な説明】
【０００１】
【発明の属する技術分野】
本発明は、射出成形機の型締制御方法に係り、特にその型締工程に金型を型開閉シリンダを介して高速開閉するように構成した型締装置における型締制御方法に関する。
【０００２】
【従来の技術】
一般に、図１に示すような射出成形機の複合式型締装置では、移動金型１０を保持する移動ダイプレート１２を、固定金型１４を保持する固定ダイプレート１６に対して、先ず型開閉バルブ２０をそのｂ位置に操作して油圧源１８からの圧油をその供給油圧ライン１８ａから型閉油圧ライン２２ａを介して型開閉シリンダ２４（シリンダ２４ａ、ピストン２４ｂ）へ供給することにより、図示の矢印方向へ移動させて型閉じを行う。その後、型締バルブ３０をそのａ位置に操作して前記油圧源１８からの圧油を、その供給油圧ライン１８ｂから型締油圧ライン３２を介して、型締シリンダ３４（シリンダ３４ａ、ラム３４ｂ）へ供給することにより型締めを行うよう構成されている。
【０００３】
なお、図１において、参照符号１２ａは、移動ダイプレート１２の移動経路上に設けられ、その型閉限を確認するリミットスイッチを示す。また、参照符号２６は型開閉バルブ２０の型閉油圧ライン２２ａ上に設けられ、型閉圧の上昇を確認する圧力スイッチを示す。さらに、参照符号２８は、同じく型開油圧ライン２２ｂ上に設けられ、その過剰圧を解放するリリーフバルブを示す。そして、参照符号３６は、型締バルブ３０の型締油圧ライン３２上に設けられ、型締圧の上昇を確認する圧力スイッチを示す。
【０００４】
なお、前記装置においては、移動金型１０は、反発スプリング１０ａを有するスプリング入り金型に構成されている。また、移動ダイプレート１２および固定ダイプレート１６の間には、タイバー４０が装架され、その係合ねじ部４０ａに対向する位置には、ハーフナット４６が配置され、そしてこのハーフナット４６は、供給油圧ライン１８ｂからの圧油を、操作バルブ４２および操作シリンダ４４を介して供給することにより、前記係合ねじ部４０ａに係合脱着されるように構成されている。
【０００５】
従って、このような構成によれば、この種の射出成形機の型締めを自動的にかつ高能率に行うことが可能である。
【０００６】
【発明が解決しようとする課題】
しかしながら、前記従来の射出成形機の型締制御方法は、なお次に述べるような難点を有していた。
【０００７】
すなわち、図３は、前述した型締制御を、操作工程（１〜８）別にそれぞれ作動時間的なグラフ表示を行ったものである。従って、前述と重複するが、再び簡単に説明すると、前記グラフは、型開閉バルブ２０がｂ位置に操作されると（工程１）、移動ダイプレート１０が移動を開始する（工程８）。そして、型閉限に到達すると、リミットスイッチ１２ａが作動すると共に、型閉圧力２２ａが上昇し（工程３、６）、そしてこの型閉圧２２ａが所定圧に達すると、型閉圧圧力スイッチ２６が作動すると共に、型締バルブ３０がａ位置へ操作されて、型締圧力３２が上昇し（工程４、２）、そしてこの型締圧力３２が所定圧に達すると型締圧圧力スイッチ３６が作動する。すなわち、型締めが行われる（工程７、５）。
【０００８】
しかるに、このグラフにおいて、すなわち前記型締制御において、作動時間の昇圧および型締めに亘る特定時間ΔＴの間は、型閉限リミットスイッチ１２ａおよび型閉圧圧力スイッチ２６が、図示されているように、その機能が中断されることがあった。すなわち、この特定時間ΔＴの間は、同じくグラフに示されているように、型締バルブ３０の操作（型締圧力３２の上昇）に際して、型閉圧力２２ａが一時的に低下する。
【０００９】
何故ならば、これら両圧力３２、２２ａの間は、油圧ライン１８ａ、１８ｂで連通しているので、その油圧ラインの圧力差により両金型１０、１２の型閉圧力が保持されず、特にスプリング１０ａ入り金型の場合には、その反発力で移動ダイプレート１０が逆に後退してリミットスイッチ１２ａをオフし、その後その作動を停止するかあるいは再度前進する等の不安定な動作を発生していた。なお、この場合、タイバー４０を有する本装置においては、そのねじ部４０ａとハーフナット４６との係合も行われないことは明らかである。
【００１０】
そこで、本発明の目的は、型締装置を、特にその金型がスプリング入り金型の場合であっても、安定かつ確実に型締めすることができる射出成形機の型締制御方法を提供することにある。
【００１１】
【課題を解決するための手段】
前記目的を達成するために、本発明に係る射出成形機の型締制御方法は、移動金型を保持する移動ダイプレートを、固定金型を保持する固定ダイプレートに対して、型開閉バルブおよび型開閉シリンダを介し移動して型閉じした後、型締バルブおよび型締シリンダを介して型締めを行う射出成形機の型締制御方法において、
移動ダイプレートはその移動経路上に型閉限を確認するリミットスイッチを設け、型開閉バルブはその型閉油圧ライン上に型閉圧の上昇を確認する圧力スイッチを設け、さらに型締バルブはその型締油圧ライン上に型締圧の上昇を確認する圧力スイッチを設けて、型開閉バルブを作動して型閉じを開始し、移動ダイプレートのリミットスイッチを介して型閉限を確認し、型閉油圧ラインの圧力スイッチを介して型閉圧上昇を確認し、かつこの上昇した型閉圧がそのまま保持されるように型開閉バルブを作動し、その後型締バルブを作動してその圧力スイッチを介して型締圧上昇を確認するように操作することを特徴とする。
【００１２】
この場合、本発明の前記型締制御方法は、特に移動および／または固定金型が反発スプリングを設けた場合にも、安定かつ確実に行うことができる。
【００１３】
本発明の型締制御方法においては、型締操作は、移動ダイプレートを型閉する型開閉バルブの型閉圧が所定圧に上昇した後、この上昇所定圧をそのまま保持した状態で、型締バルブを作動することにより達成される。
【００１４】
従って、本発明によれば、型締バルブの作動時に、その型締圧が仮に前記上昇する型閉圧より低圧であっても、前記型閉圧が従来のように一時的に低下することはないので、型締操作を安定かつ確実に行うことができる。
【００１５】
【実施例】
次に、本発明に係る射出成形機の型締制御方法の実施例につき、添付図面を参照しながら以下詳細に説明する。
【００１６】
先ず初めに、本発明においては、その型締制御方法を実施する装置およびその操作工程は、前記従来の装置（図１参照）および工程（図３参照）と基本的に同一である。従って、本発明の型締制御方法に係る以下の説明は、前記図１を参照しかつ前記図３に対応する図２に準拠して行う。
【００１７】
すなわち、操作工程（１〜８）を、それぞれ作動時間的にグラフ表示した図２において、本発明の型締制御方法の基本的工程は、前記従来の場合（図３）と同様に、型開閉バルブ２０がｂ位置に操作されると（工程１）、移動ダイプレート１０が移動を開始する（工程８）。そして、型閉限に到達すると、型閉限リミットスイッチ１２ａが作動すると共に、型閉圧力２２ａが上昇する（工程３、６）。そして、この型閉圧力２２ａが所定圧に達すると、型閉圧圧力スイッチ２６が作動すると共に、型締バルブ３０がａ位置へ操作されて、型締圧力３２が上昇する（工程４、２）。そして、この型締圧力３２が所定圧に達すると、型締圧圧力スイッチ３６が作動する。すなわち、型締めが行われる（工程７、５）。
【００１８】
しかるに、本発明において、前記構成（工程）によれば、前記型締めは、移動ダイプレート１２がその型閉限リミットスイッチ１２ａを介して型閉限を確認し、そして型開閉バルブ２０がその圧力スイッチ２６を介して型閉圧（２２ａ）上昇を確認し、かつこの上昇した型閉圧（２２ａ）が保持されたままの状態で（すなわち、型開閉バルブ２０がオフされた状態）で、型締バルブ３０が作動し、そしてその圧力スイッチ３６を介して型締圧（３２）の上昇が確認されるように操作される。
【００１９】
すなわち、図２に示す前記工程に関連して説明すると、型締操作は、型開閉バルブ２０が作動して（工程１）、その型閉圧２２ａの上昇が圧力スイッチ２６で確認される（工程６）と、この上昇した型閉圧力２２ａがそのまま保持された状態（工程６）で、型締バルブ３０が作動し（工程２）、そしてその型締圧力３２の上昇が圧力スイッチ３６で確認し得る（工程７）ように操作される。
【００２０】
このように、本発明においては、型締操作が、移動ダイプレートを型閉じする型開閉バルブの型閉圧が、所定圧に上昇した後、この上昇所定圧がそのまま保持するように型開閉バルブを作動し、その後型締バルブを作動することにより達成される。この結果、型締バルブの作動時に、その型締圧が仮に前記上昇する型閉圧より低圧であっても、前記型閉圧が、従来のように一時的に、すなわち前記特定時間ΔＴの間に、型締圧と同等に低下することはなく、次工程では、ハーフナット４６を供給油圧ライン１８ｂからの圧油を操作バルブ４２および操作シリンダ４４を介して供給することにより、係合ねじ部４０ａに係合脱着することができる。
【００２１】
従って、本発明によれば、この種の複合式型締制御を、特にその金型がスプリング入りであっても、安定しかつ確実に達成することができる。
【００２２】
以上、本発明の好適な実施例について説明したが、本発明は前記実施例に限定されることなく、その精神を逸脱しない範囲内において多くの設計変更が可能である。例えば、本発明の型締制御方法は、前記装置（図１）において、タイバー係合ねじ部を持たない、いわゆる型開閉シリンダを有する直圧式型締制御についても、実質的に同様に作動することができる。
【００２３】
【発明の効果】
以上説明したように、本発明に係る射出成形機の型締制御方法は、要約すると、移動ダイプレート（移動金型）を固定ダイプレート（固定金型）に対して、型開閉バルブを介して高速型閉じした後、型締バルブを介して型締めする型締装置の型締制御において、この型締制御を、前記型開閉バルブの型閉圧が所定圧に上昇した後、この上昇所定圧がそのまま保持された状態で前記型締バルブを作動する構成としたことにより、型締バルブの作動時にその型締圧が仮に前記上昇する型閉圧より低圧であっても、特にその金型がスプリング入りであっても、型締制御を安定かつ確実に達成することができる。
【図面の簡単な説明】
【図１】射出成形機の型締制御方法を実施する一般的装置の概略構成図である。
【図２】図１に示す装置における本発明に係る型締制御方法の一実施例の操作工程別のそれぞれ作動時間を示すグラフである。
【図３】図１に示す装置における従来の型締制御方法の操作工程別のそれぞれ作動時間を示すグラフである。
【符号の説明】
１０  移動金型
１０ａ  スプリング
１２  移動ダイプレート
１２ａ  リミットスイッチ
１４  固定金型
１６  固定ダイプレート
１８  油圧源
１８ａ、１８ｂ  供給油圧ライン
２０  型開閉バルブ
２２ａ  型閉油圧ライン（型閉圧力）
２４  型開閉シリンダ
２６  型閉圧上昇確認圧力スイッチ
３０  型締バルブ
３２  型締油圧ライン（型締圧力）
３４  型締シリンダ
３６  型締圧上昇確認圧力スイッチ
４０  タイバー
４０ａ  係合ねじ部
４２  操作バルブ
４４  操作シリンダ
４６  ハーフナット
【図１】
0003638381.tif 000002
【図２】
0003638381.tif 000003
【図３】
0003638381.tif 000004